(57)【要約】【課題】ヤレ用紙が多数検知された場合であっても、目印用紙の枚数の増加を抑制できる画像形成システムおよび制御プログラムを提供する。【解決手段】画像形成システム１００は、用紙搬送部４１０、画像形成部３２０、排出部４３０、および制御部３８０を有する。用紙搬送部４１０は、用紙搬送路４１１を備え、用紙を搬送する。画像形成部３２０は、用紙に画像を形成する。排出部４３０は、画像形成部によって画像が形成された用紙を排出する。制御部３８０は、用紙搬送路を搬送される用紙がヤレ用紙であるか否かを判断し、用紙がヤレ用紙であると判断した場合、排出部４３０に排出される複数枚の用紙からヤレ用紙を特定する情報を目印用紙に印刷し、当該目印用紙を排出部に排出するように制御する。制御部３８０は、目印用紙上における、予め選択された位置に情報を印刷するか、あるいはユーザーによって指定された位置に情報を印刷するように制御する。【選択図】図１
2019034528.tif 000002
【特許請求の範囲】
【請求項１】
用紙搬送路を備え、用紙を搬送する用紙搬送部と、
前記用紙に画像を形成する画像形成部と、
前記画像形成部によって画像が形成された用紙を排出する排出部と、
前記用紙搬送路を搬送される用紙がヤレ用紙であるか否かを判断し、前記用紙がヤレ用紙であると判断した場合、前記排出部に排出される複数枚の用紙から前記ヤレ用紙を特定する情報を目印用紙に印刷し、当該目印用紙を前記排出部に排出するように制御する制御部と、を有し、
前記制御部は、
前記目印用紙上における、予め選択された位置に前記情報を印刷するか、あるいはユーザーによって指定された位置に前記情報を印刷するように制御する、画像形成システム。
【請求項２】
前記制御部は、
前記用紙がヤレ用紙であると判断した場合、実行中の印刷処理を中断し、前記ヤレ用紙を前記排出部に排出した後、中断されていた印刷処理を再開する、請求項１に記載の画像形成システム。
【請求項３】
複数枚の目印用紙を収容する給紙部をさらに有し、
前記制御部は、
前記給紙部において目印用紙の用紙切れを検知した場合、
中断されていた印刷処理を再開する際に、前記目印用紙上における前記情報を印刷する位置を更新する、請求項２に記載の画像形成システム。
【請求項４】
複数枚の目印用紙を収容する給紙部をさらに有し、
前記制御部は、
ユーザーによって前記給紙部に対して目印用紙を補給する操作が実行されたことを検知した場合、
補給前に前記給紙部に収容されていた目印用紙と新たに補給された目印用紙とについて、前記情報を印刷可能な位置をユーザーに確認するよう促す、請求項１または２に記載の画像形成システム。
【請求項５】
前記目印用紙は、
既に画像が印刷されている印刷済み領域と、当該印刷済み領域以外の空白領域と、を有し、
前記制御部は、
前記印刷済み領域をユーザーに指定させ、前記空白領域のいずれかの位置に前記情報を印刷するように制御する、請求項１または２に記載の画像形成システム。
【請求項６】
前記制御部は、
前記情報が、前記目印用紙の印刷済み領域に重なって印刷されている場合、前記目印用紙がヤレ用紙であると判断し、前記情報が、前記目印用紙の印刷済み領域に重なって印刷されている旨をユーザーに通知するとともに、新たに給紙される目印用紙上における前記情報を印刷する位置を更新する、請求項１〜５のいずれか１項に記載の画像形成システム。
【請求項７】
前記制御部は、
前記情報に加えて、ヤレを検知した日付、時刻、ファイル名およびユーザー名の少なくともいずれかを前記目印用紙に印刷するように制御する、請求項１〜６のいずれか１項に記載の画像形成システム。
【請求項８】
前記制御部は、
前記情報を印刷する色をユーザーに設定させる、請求項１〜７のいずれか１項に記載の画像形成システム。
【請求項９】
画像形成システムの用紙搬送路を搬送される用紙がヤレ用紙であるか否かを判断する手順（ａ）と、
前記用紙がヤレ用紙であると判断された場合、排出部に排出される複数枚の用紙から前記ヤレ用紙を特定する情報を、目印用紙上における、予め選択された位置に印刷するか、あるいはユーザーによって指定された位置に印刷する手順（ｂ）と、
前記目印用紙を前記排出部に排出する手順（ｃ）と、
を前記画像形成システムに実行させる、制御プログラム。
【請求項１０】
前記手順（ｂ）において、前記用紙がヤレ用紙であると判断された場合、実行中の印刷処理を中断し、前記ヤレ用紙を前記排出部に排出した後、中断されていた印刷処理を再開する、請求項９に記載の制御プログラム。
【請求項１１】
前記手順（ｂ）において、給紙部に収容されている目印用紙の用紙切れを検知した場合、
中断されていた印刷処理を再開する際に、前記目印用紙上における前記情報を印刷する位置を更新する、請求項１０に記載の制御プログラム。
【請求項１２】
ユーザーによって給紙部に対して目印用紙を補給する操作が実行されたことを検知した場合、
補給前に前記給紙部に収容されていた目印用紙と新たに補給された目印用紙とについて、前記情報を印刷可能な位置をユーザーに確認するよう促す手順（ｄ）をさらに有する、請求項９または１０に記載の制御プログラム。
【請求項１３】
前記目印用紙は、
既に画像が印刷されている印刷済み領域と、当該印刷済み領域以外の空白領域と、を有し、
前記手順（ｂ）において、前記印刷済み領域をユーザーに指定させ、前記空白領域のいずれかの位置に前記情報を印刷する、請求項９または１０に記載の制御プログラム。
【請求項１４】
前記情報が、前記目印用紙の印刷済み領域に重なって印刷されている場合、前記目印用紙がヤレ用紙であると判断し、前記情報が、前記目印用紙の印刷済み領域に重なって印刷されている旨をユーザーに通知するとともに、新たに給紙される目印用紙上における前記情報を印刷する位置を更新する手順（ｅ）をさらに有する、請求項９〜１３のいずれか１項に記載の制御プログラム。
【請求項１５】
前記手順（ｂ）において、前記情報に加えて、ヤレを検知した日付、時刻、ファイル名およびユーザー名の少なくともいずれかを前記目印用紙に印刷するように制御する、請求項９〜１４のいずれか１項に記載の制御プログラム。
【請求項１６】
前記手順（ｂ）において、前記情報を印刷する色をユーザーに設定させる、請求項９〜１５のいずれか１項に記載の制御プログラム。
【発明の詳細な説明】
【技術分野】
【０００１】
本発明は、画像形成システムおよび制御プログラムに関する。
【背景技術】
【０００２】
近年、企業内の印刷部門やプリントショップなどにおいてプロダクションプリントが注目されている。プロダクションプリントでは、たとえば、給紙装置、画像形成装置、および後処理装置が直列に連結された画像形成システムが使用され、高画質の画像形成が高速に行われる。
【０００３】
これに関連して、プロダクションプリントによる印刷の画像品質を一定水準以上に維持するため、印刷後に一定の画像品質を満たさない用紙をユーザーが容易に特定できるようにするための技術が知られている（たとえば、下記特許文献１）。
【０００４】
特許文献１の技術では、印刷の画像品質に影響する要因となる、搬送中の用紙の曲がり具合が所定基準を超えるヤレ用紙が検知された場合、そのヤレ用紙を特定する情報を目印用紙の所定位置に印字し、目印用紙を排出する。ユーザーは、目印用紙の情報に基づいて、排紙トレイに排出された複数枚の用紙からヤレ用紙を特定する。
【０００５】
しかしながら、特許文献１の技術では、ヤレ用紙を特定する情報を目印用紙の所定位置に印字するので、同じ目印用紙を再利用した場合、過去の情報に新しい情報が上書きされて情報が判読できなくなってしまう。したがって、印刷が大量に実行されるなどして、ヤレ用紙が多数検知された場合には、それに応じて、多数の目印用紙が必要となる可能性がある。
【先行技術文献】
【特許文献】
【０００６】
【特許文献１】特開２０１０−２４６３号公報
【発明の概要】
【発明が解決しようとする課題】
【０００７】
本発明は、上記問題に鑑みてなされたものである。したがって、本発明の目的は、ヤレ用紙が多数検知された場合であっても、目印用紙の枚数の増加を抑制できる画像形成システムおよび制御プログラムを提供することである。
【課題を解決するための手段】
【０００８】
本発明の上記目的は、下記によって達成される。
【０００９】
（１）用紙搬送路を備え、用紙を搬送する用紙搬送部と、前記用紙に画像を形成する画像形成部と、前記画像形成部によって画像が形成された用紙を排出する排出部と、前記用紙搬送路を搬送される用紙がヤレ用紙であるか否かを判断し、前記用紙がヤレ用紙であると判断した場合、前記排出部に排出される複数枚の用紙から前記ヤレ用紙を特定する情報を目印用紙に印刷し、当該目印用紙を前記排出部に排出するように制御する制御部と、を有し、前記制御部は、前記目印用紙上における、予め選択された位置に前記情報を印刷するか、あるいはユーザーによって指定された位置に前記情報を印刷するように制御する、画像形成システム。
【００１０】
（２）前記制御部は、前記用紙がヤレ用紙であると判断した場合、実行中の印刷処理を中断し、前記ヤレ用紙を前記排出部に排出した後、中断されていた印刷処理を再開する、上記（１）に記載の画像形成システム。
【００１１】
（３）複数枚の目印用紙を収容する給紙部をさらに有し、前記制御部は、前記給紙部において目印用紙の用紙切れを検知した場合、中断されていた印刷処理を再開する際に、前記目印用紙上における前記情報を印刷する位置を更新する、上記（２）に記載の画像形成システム。
【００１２】
（４）複数枚の目印用紙を収容する給紙部をさらに有し、前記制御部は、ユーザーによって前記給紙部に対して目印用紙を補給する操作が実行されたことを検知した場合、補給前に前記給紙部に収容されていた目印用紙と新たに補給された目印用紙とについて、前記情報を印刷可能な位置をユーザーに確認するよう促す、上記（１）または（２）に記載の画像形成システム。
【００１３】
（５）前記目印用紙は、既に画像が印刷されている印刷済み領域と、当該印刷済み領域以外の空白領域と、を有し、前記制御部は、前記印刷済み領域をユーザーに指定させ、前記空白領域のいずれかの位置に前記情報を印刷するように制御する、上記（１）または（２）に記載の画像形成システム。
【００１４】
（６）前記制御部は、前記情報が、前記目印用紙の印刷済み領域に重なって印刷されている場合、前記目印用紙がヤレ用紙であると判断し、前記情報が、前記目印用紙の印刷済み領域に重なって印刷されている旨をユーザーに通知するとともに、新たに給紙される目印用紙上における前記情報を印刷する位置を更新する、上記（１）〜（５）のいずれか１つに記載の画像形成システム。
【００１５】
（７）前記制御部は、前記情報に加えて、ヤレを検知した日付、時刻、ファイル名およびユーザー名の少なくともいずれかを前記目印用紙に印刷するように制御する、上記（１）〜（６）のいずれか１つに記載の画像形成システム。
【００１６】
（８）前記制御部は、前記情報を印刷する色をユーザーに設定させる、上記（１）〜（７）のいずれか１つに記載の画像形成システム。
【００１７】
（９）画像形成システムの用紙搬送路を搬送される用紙がヤレ用紙であるか否かを判断する手順（ａ）と、前記用紙がヤレ用紙であると判断された場合、排出部に排出される複数枚の用紙から前記ヤレ用紙を特定する情報を、目印用紙上における、予め選択された位置に印刷するか、あるいはユーザーによって指定された位置に印刷する手順（ｂ）と、前記目印用紙を前記排出部に排出する手順（ｃ）と、を前記画像形成システムに実行させる、制御プログラム。
【００１８】
（１０）前記手順（ｂ）において、前記用紙がヤレ用紙であると判断された場合、実行中の印刷処理を中断し、前記ヤレ用紙を前記排出部に排出した後、中断されていた印刷処理を再開する、上記（９）に記載の制御プログラム。
【００１９】
（１１）前記手順（ｂ）において、給紙部に収容されている目印用紙の用紙切れを検知した場合、中断されていた印刷処理を再開する際に、前記目印用紙上における前記情報を印刷する位置を更新する、上記（１０）に記載の制御プログラム。
【００２０】
（１２）ユーザーによって給紙部に対して目印用紙を補給する操作が実行されたことを検知した場合、補給前に前記給紙部に収容されていた目印用紙と新たに補給された目印用紙とについて、前記情報を印刷可能な位置をユーザーに確認するよう促す手順（ｄ）をさらに有する、上記（９）または（１０）に記載の制御プログラム。
【００２１】
（１３）前記目印用紙は、既に画像が印刷されている印刷済み領域と、当該印刷済み領域以外の空白領域と、を有し、前記手順（ｂ）において、前記印刷済み領域をユーザーに指定させ、前記空白領域のいずれかの位置に前記情報を印刷する、上記（９）または（１０）に記載の制御プログラム。
【００２２】
（１４）前記情報が、前記目印用紙の印刷済み領域に重なって印刷されている場合、前記目印用紙がヤレ用紙であると判断し、前記情報が、前記目印用紙の印刷済み領域に重なって印刷されている旨をユーザーに通知するとともに、新たに給紙される目印用紙上における前記情報を印刷する位置を更新する手順（ｅ）をさらに有する、上記（９）〜（１３）のいずれか１つに記載の制御プログラム。
【００２３】
（１５）前記手順（ｂ）において、前記情報に加えて、ヤレを検知した日付、時刻、ファイル名およびユーザー名の少なくともいずれかを前記目印用紙に印刷するように制御する、上記（９）〜（１４）のいずれか１つに記載の制御プログラム。
【００２４】
（１６）前記手順（ｂ）において、前記情報を印刷する色をユーザーに設定させる、上記（９）〜（１５）のいずれか１つに記載の制御プログラム。
【発明の効果】
【００２５】
本発明によれば、目印用紙の印刷済み領域に重ならないように、ヤレ用紙を特定する情報を印字する位置が変更される。したがって、目印用紙を再利用できるので、ヤレ用紙が多数検知された場合であっても、目印用紙の枚数の増加を抑制できる。
【図面の簡単な説明】
【００２６】
【図１】第１の実施形態の画像形成システムの構成を例示する概略断面図である。
【図２】図１に示す画像形成システムのハードウェア構成を例示する概略ブロック図である。
【図３Ａ】図１に示す画像形成システムの制御方法の処理手順を例示するフローチャートである。
【図３Ｂ】図３Ａに後続するフローチャートである。
【図４】目印用紙に対して設定される分割パターン領域の一例を示す模式図である。
【図５】目印用紙に対して設定される分割パターン領域の他の例を示す模式図である。
【図６Ａ】ユーザーが印刷済み領域を指定する場合について、サンプルチャートおよび印刷済みの目印用紙を例示する模式図である。
【図６Ｂ】印刷済み領域の指定について説明するための模式図である。
【図７】ヤレ情報の印字の一例を示す模式図である。
【図８】ヤレ情報の印字の他の例を示す模式図である。
【図９Ａ】第２の実施形態における画像形成システムの制御方法の処理手順を例示するフローチャートである。
【図９Ｂ】図９Ａに後続するフローチャートである。
【図１０】目印用紙に対するヤレ検知について説明するための模式図である。
【発明を実施するための形態】
【００２７】
以下、添付した図面を参照して本発明の画像形成システムおよび制御プログラムの実施形態を説明する。なお、図中、同一の部材には同一の符号を用いた。また、図面の寸法比率は、説明の都合上誇張されており、実際の比率とは異なる場合がある。また、本明細書において、画像形成システム内の用紙搬送路における用紙搬送方向に関して上流または下流であることを、それぞれ単に「上流」または「下流」と書く場合がある。
【００２８】
（第１の実施形態）
＜画像形成システム１００＞
図１は第１の実施形態の画像形成システム１００の構成を例示する概略断面図であり、図２は図１に示す画像形成システム１００のハードウェア構成を例示する概略ブロック図である。
【００２９】
図１および図２に示すように、本実施形態の画像形成システム１００は、Ｘ方向に沿って直列に接続された給紙装置２００、画像形成装置３００、および後処理装置４００を有する。なお、図１および図２に示す画像形成システム１００の構成は一例であり、画像形成システム１００に含まれる装置の種類および台数は図１および図２に示す例に限定されない。
【００３０】
＜給紙装置２００＞
給紙装置２００は、画像形成装置３００の指示に従って、画像形成装置３００に用紙を供給する。給紙装置２００は、画像形成システム１００において最上流に配置され、給紙部２１０、用紙搬送部２２０、通信部２３０および制御部２４０を有する。これらの構成要素は、内部バス２５０により相互に通信可能に接続されている。
【００３１】
給紙部２１０は、印刷に使用される記録材としての用紙を供給する。給紙部２１０は、複数の給紙トレイ２１１を有し、サイズ、色、厚さ、坪量などの種類の異なる用紙を大量に収容できる。本実施形態では、給紙部２１０は、たとえば、上段、中段および下段に１つずつ給紙トレイ２１１を備え、これら３つの給紙トレイ２１１には、それぞれサイズの異なる用紙が収められている。
【００３２】
用紙搬送部２２０は、用紙搬送路２２１および複数の搬送ローラーを備え、給紙部２１０から供給された用紙を用紙搬送路２２１に沿って搬送し、画像形成装置３００へ排出する。また、用紙搬送路２２１の所定位置には、用紙の通過を検知するセンサーが配置されており、検知結果は画像形成装置３００の制御部に伝達される。
【００３３】
通信部２３０は、装置間の通信回線１０１により画像形成システム１００の他の装置と通信可能に接続され、データを送受信する。
【００３４】
制御部２４０は、給紙部２１０、用紙搬送部２２０および通信部２３０を制御する。制御部２４０は、図示しない補助記憶装置、メモリーおよびＣＰＵ（Ｃｅｎｔｒａｌ  Ｐｒｏｃｅｓｓｉｎｇ  Ｕｎｉｔ）を有する。これらの各構成要素は、バスを介して相互に通信可能に接続されている。
【００３５】
補助記憶装置は、たとえば、ハードディスクドライブ、フラッシュメモリーなどの大容量の記憶装置を備え、給紙装置用の制御プログラムを格納する。メモリーは、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）を備える。
【００３６】
制御部２４０において、ＣＰＵは、給紙装置用の制御プログラムを実行することにより、給紙部２１０、用紙搬送部２２０および通信部２３０を制御し、様々な機能を実現する。
【００３７】
＜画像形成装置３００＞
画像形成装置３００は、原稿から画像を読み取り、読み取った画像を用紙に形成（印刷）する。また、画像形成装置３００は、ネットワークを通じて外部のクライアント端末５００からＰＤＬ（Ｐａｇｅ  Ｄｅｓｃｒｉｐｔｉｏｎ  Ｌａｎｇｕａｇｅ）形式の印刷データおよび印刷設定データを含む印刷ジョブを受信し、これに基づいて用紙に画像を形成する。
【００３８】
印刷設定には、たとえば紙種、用紙サイズ、両面／片面印刷、用紙の向き、後処理に関する設定などが含まれる。クライアント端末５００は、たとえばパーソナルコンピューター、タブレット端末、スマートフォンなどでありうる。
【００３９】
画像形成装置３００は、給紙装置２００と後処理装置４００との間に配置され、画像読取部３１０、画像形成部３２０、給紙部３３０、通信部３４０、用紙搬送部３５０、排出部３６０、操作表示部３７０および制御部３８０を有する。これらの構成要素は、内部バス３９０により相互に通信可能に接続されている。
【００４０】
画像読取部３１０は、ミラー、レンズなどから構成される光学系と、読取センサーと、読み取り処理部と、圧縮ＩＣと、ＤＲＡＭ（Ｄｙｎａｍｉｃ  Ｒａｎｄｏｍ  Ａｃｃｅｓｓ  Ｍｅｍｏｒｙ）と、伸長ＩＣとを備える。画像読取部３１０は、読取面に載置された原稿またはＡＤＦ（Ａｕｔｏ  Ｄｏｃｕｍｅｎｔ  Ｆｅｅｄｅｒ）によって搬送された原稿を読み取って画像信号を出力する。
【００４１】
画像信号は、読み取り処理部にてディジタル信号（画像データ信号）に変換された後、圧縮ＩＣにて圧縮処理され、印刷画像データとしてＤＲＡＭに保存される。また、画像読取部３１０は、通信部３４０を通じて受信された印刷ジョブをラスタライズ処理し、印刷画像データを生成してＤＲＡＭに保存する。
【００４２】
一方、印刷画像データを出力する場合、ＤＲＡＭの印刷画像データは、伸長ＩＣにより伸張処理され後、画像形成部３２０へ送信される。
【００４３】
画像形成部３２０は、帯電、露光、現像、転写、および定着の各工程を含む電子写真式プロセスなどの周知の作像プロセスを用いて、印刷画像データに基づいて、画像を用紙上に形成する。
【００４４】
給紙部３３０は、印刷に使用される記録材としての用紙を供給する。給紙部３３０は、複数の給紙トレイ３３１を有し、各々の給紙トレイ３３１には、たとえばＡ４サイズやＢ５サイズなどの定型の用紙が収容されている。
【００４５】
本実施形態では、給紙部３３０は、いずれかの給紙トレイ３３１に目印用紙を収容する。目印用紙は、印刷物の品質が規定の基準を満たさない用紙（以下、「ヤレ用紙」と称する）が検知された場合に、ユーザーが、後処理装置４００の排紙トレイ４３１（後述）に排出されたヤレ用紙を他の有効用紙と区別し易いように目印として挿入される用紙である。目印用紙の詳細については後述する。
【００４６】
また、各々の給紙トレイ３３１には、収容されている用紙の用紙切れを検知するセンサーが設置されており、検知結果は制御部３８０に伝達される。
【００４７】
通信部３４０は、ネットワークを経由して、クライアント端末５００に接続し、印刷ジョブなどのデータを送受信する。ネットワークは、構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせなどの各種のネットワークからなる。ＬＡＮ規格は、たとえば、イーサネット（登録商標）、トークンリング、ＦＤＤＩ（Ｆｉｂｅｒ−Ｄｉｓｔｒｉｂｕｔｅｄ  Ｄａｔａ  Ｉｎｔｅｒｆａｃｅ）である。通信プロトコルは、たとえばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００４８】
また、通信部３４０は、装置間の通信回線１０１により画像形成システム１００の他の装置と通信可能に接続され、データを送受信する。
【００４９】
用紙搬送部３５０は、画像形成装置３００内において用紙を搬送する。用紙搬送部３５０は、用紙搬送路３５１および複数の搬送ローラーを有する。
【００５０】
給紙装置２００または給紙部３３０から供給された用紙は、用紙搬送路３５１を通じて、画像形成部３２０に搬送される。画像形成部３２０において、画像が形成された用紙は、排出部３６０を通じて画像形成装置３００の外部に排出され、後処理装置４００に供給される。また、用紙搬送路３５１の所定位置には、用紙の通過を検知するセンサーが配置されており、検知結果は制御部３８０に伝達される。
【００５１】
操作表示部３７０は、たとえば、ディスプレイ（表示部）およびキーボード、あるいはタッチパネルを有し、入力部および出力部として機能する。キーボードは、用紙のサイズを指定する選択キー、コピー枚数などを設定するテンキー、動作の開始を指示するスタートキー、動作の停止を指示するストップキーなどの複数のキーを有する。入力部は、文字入力、各種設定、スタート指示などの各種指示（入力）をユーザーが行うために利用される。また、出力部は、機器構成、印刷ジョブの実施状況、用紙ジャムの発生状況、エラーの発生状況、現在変更可能な設定などを、ユーザーに提示するために使用される。
【００５２】
制御部３８０は、図示しない補助記憶装置、メモリーおよびＣＰＵを有する。これらの各構成要素は、バスを介して相互に通信可能に接続されている。補助記憶装置は、たとえば、ハードディスクドライブ、フラッシュメモリーなどの大容量の記憶装置を備える。メモリーは、ＲＡＭおよびＲＯＭを備える。ＲＡＭには、ＣＰＵの実行に伴う演算結果などが格納される。
【００５３】
制御部３８０において、ＣＰＵは、画像形成装置用の制御プログラムを実行する。画像形成装置用の制御プログラムは、補助記憶装置に記憶されており、ＣＰＵによって実行される際に、メモリーのＲＡＭにロードされる。ＣＰＵは、上記制御プログラムにしたがって、画像読取部３１０、画像形成部３２０、給紙部３３０、通信部３４０、用紙搬送部３５０、排出部３６０、および操作表示部３７０を制御し、様々な機能を実現する。
【００５４】
たとえば、制御部３８０は、用紙搬送部２２０、用紙搬送部３５０および後述する後処理装置４００の用紙搬送部における、各々の用紙搬送路を搬送される用紙の位置を管理する。本実施形態では、制御部３８０は、後処理装置４００の用紙搬送部の用紙搬送路を搬送される用紙がヤレ用紙であるか否かを判断する。制御部３８０は、この用紙がヤレ用紙であると判断した場合、ヤレ用紙を特定する情報を目印用紙に印刷し、この目印用紙を排出トレイに排出するように制御する。目印用紙の上記情報により、ユーザーは、後処理装置４００の排紙トレイ４３１に複数枚の用紙が排出されたとしもこれらの用紙からヤレ用紙を容易に特定できる。
【００５５】
また、制御部３８０は、目印用紙上における、予め選択された位置に上記情報を印刷するか、あるいはユーザーによって指定された位置に上記情報を印刷するように制御する。
【００５６】
さらに、制御部３８０は、用紙がヤレ用紙であると判断された場合、実行中の印刷処理を中断し、ヤレ用紙を後処理装置４００の排紙トレイ４３１に排出した後、中断されていた印刷処理を再開する。
【００５７】
＜後処理装置４００＞
後処理装置４００は、画像形成装置３００の指示に従って、画像形成装置３００から供給された用紙を搬送または後処理し、画像形成システム１００の外部に排出する。後処理装置４００は、画像形成システム１００において最下流に配置され、用紙搬送部４１０、後処理部４２０、排出部４３０、通信部４４０、画像調整部４５０および制御部４６０を有する。これらの構成要素は、内部バス４７０により相互に通信可能に接続されている。
【００５８】
用紙搬送部４１０は、用紙搬送路４１１および複数の搬送ローラーを備え、画像形成装置３００から供給された用紙を用紙搬送路４１１に沿って排出部４３０へ搬送する。また、用紙搬送部４１０は、画像形成装置３００から供給された用紙を後処理部４２０に搬送し、後処理された用紙を排出部４３０へ搬送する。用紙搬送路４１１の所定位置には、用紙の通過を検知するセンサーが配置されており、検知結果は画像形成装置３００の制御部３８０に伝達される。
【００５９】
後処理部４２０は、用紙に対して後処理を実施する。本実施形態では、後処理は、たとえばパンチ処理、ステイプル処理、カール矯正処理、反転処理などを含む。
【００６０】
排出部４３０は、排紙トレイ４３１を備える。排出部４３０は、用紙搬送部４１０によって搬送された用紙を排紙トレイ４３１上に排出する。
【００６１】
通信部４４０は、装置間の通信回線１０１により画像形成システム１００の他の装置と通信可能に接続され、データを送受信する。
【００６２】
画像調整部４５０は、上流スキャナー４５１、下流スキャナー４５２、および分光測色計４５３を有する。画像調整部４５０は、ＩＣＣＵ（Ｉｍａｇｅ  Ｃａｌｉｂｒａｔｉｏｎ  Ｃｏｎｔｒｏｌ  Ｕｎｉｔ）として機能し、リアルタイム表裏調整および階調調整を実施する。ＩＣＣＵを使用することにより、用紙における画像位置を高精度で調整でき、安定した色再現を実現できる。また、調整が容易になることにより、ユーザーによる作業が削減され、画像品質が安定化し、調整時間の短縮（ダウンタイムの削減）につながる。
【００６３】
上流スキャナー４５１および下流スキャナー４５２は、画像形成装置３００から排出された用紙を供給する供給口に近い用紙搬送路４１１上に、用紙搬送路４１１を挟んで、用紙の異なる面の画像の読み取りをそれぞれ行うように配置されている。
【００６４】
上流スキャナー４５１および下流スキャナー４５２は、ラインイメージセンサー、レンズ光学系、ＬＥＤ（Ｌｉｇｈｔ  Ｅｍｉｔｔｉｎｇ  Ｄｉｏｄｅ）光源およびこれらを収納する筐体等を備え、搬送される用紙に印刷された画像を読み取る。画像の読み取りは、ＬＥＤ光源からの光が、用紙搬送路４１１上の読取位置を通過する用紙の表面を照射する。この読取位置の像は、レンズ光学系により導かれ、ラインイメージセンサー上に結像し、読み取られる。
【００６５】
印刷設定が両面印刷に設定されている場合、上流スキャナー４５１は、用紙の下側面の画像の読み取りを行い、下流スキャナー４５２は用紙の上側面の画像の読み取りを行う。したがって、両面印刷された用紙の両面を一度の搬送で読み取ることができる。一方、印刷設定が片面印刷に設定されている場合、下流スキャナー４５２のみにより用紙の表面側の画像を読み取る。
【００６６】
制御部３８０は、上流スキャナー４５１および下流スキャナー４５２で得られた画像データから、リアルタイム表裏調整を実施する。より具体的には、用紙の断裁代部分にトンボ（ベタ出力）を印字し、全ての面をＩＣＣＵ（上流スキャナー４５１／下流スキャナー４５２）により読み取り、出力中の印刷ジョブにフィードバックする。補正対象は、たとえば主走査シフト（通紙方向に直交する方向の位置ずれ）、副走査シフト（通紙方向の位置ずれ）、通紙方向倍率、通紙交差方向倍率（通紙方向と直交する方向の倍率）、傾き、回転が含まれる。リアルタイム表裏調整では、表面／裏面について、それぞれ独立に目標値に対して画像位置が調整される。
【００６７】
制御部３８０は、上流スキャナー４５１および下流スキャナー４５２で得られた画像データから、階調調整を実施する。用紙の断裁代部分に階調パッチ（ＹＭＣＫ／ＲＧＢ  Ｐｂ）を用紙端部に印字し、ＩＣＣＵ（下流スキャナ）で読み取りを行う。階調パッチの読み取り位置は、コーナー／センタートンボを基準に位置検出を行う。補正値は、出力紙濃度調整と同じ条件（スクリーン／紙種／用紙カラー別センサー毎）で持ち、補正を実施する。補正値は、「ＹＭＣＫ」と「ＲＧＢ  Ｐｂ」の２枚分（８種のパッチ）のデータを１セットとして階調補正値が演算される。
【００６８】
分光測色計４５３は、画像形成部３２０により用紙上に形成された色評価用画像の各カラーパッチの色を分光的に測定し、可視光領域およびその近傍領域における各波長の分光反射率を取得する。測色データは、たとえばＸＹＺ等の表色系で出力可能である。
【００６９】
制御部４６０は、用紙搬送部４１０、後処理部４２０、排出部４３０、通信部４４０および画像調整部４５０を制御する。制御部４６０は、図示しない補助記憶装置、メモリーおよびＣＰＵを有する。これらの各構成要素は、バスを介して相互に通信可能に接続されている。補助記憶装置は、たとえば、ハードディスクドライブ、フラッシュメモリーなどの大容量の記憶装置を備え、後処理装置用の制御プログラムを格納する。メモリーは、ＲＡＭおよびＲＯＭを備える。
【００７０】
制御部４６０において、ＣＰＵは、後処理装置用の制御プログラムを実行することにより、用紙搬送部４１０、後処理部４２０、排出部４３０、通信部４４０および画像調整部４５０を制御し、様々な機能を実現する。
【００７１】
なお、本実施形態では、後処理装置４００が後処理部４２０を有する構成について例示したが、後処理装置４００は必ずしも後処理部４２０を有していなくてもよい。その場合、後処理装置４００は、画像形成装置３００から供給された用紙を排紙トレイ４３１に搬送する用紙搬送装置として機能する。
【００７２】
＜画像形成システム１００の制御方法＞
次に、図３Ａおよび図３Ｂを参照して、本実施形態の画像形成システム１００の制御方法について詳細に説明する。図３Ａは第１の実施形態の画像形成システム１００の制御方法の処理手順を例示するフローチャートであり、図３Ｂは図３Ａに後続するフローチャートである。図３Ａおよび図３Ｂに示す制御方法の各処理は、制御部３８０が主となり、画像形成装置用の制御プログラムを実行し、他の制御部２４０、４６０と協働することにより実現される。
【００７３】
画像形成システム１００は、クライアント端末５００などから印刷ジョブを受信し、印刷処理を開始する。印刷ジョブが複数ページにわたる場合、制御部３８０は、画像形成装置３００に用紙を順次供給するように給紙装置２００を制御する。制御部３８０は、以下で説明するヤレ検知処理を実行し、用紙搬送路４１１を搬送される用紙を監視する。
【００７４】
図３Ａに示すように、ヤレ情報の印字設定を行う（ステップＳ１０１）。ヤレ情報は、ヤレ枚数に加えて、たとえばヤレ用紙を検知した日付・時刻（以下、単に「日付・時刻」と書く）、「ファイル名」、および「ユーザー名」を含みうる。ヤレ枚数は、検知されたヤレ用紙に、ヤレ用紙が検知された時点における画像形成装置３００に給紙済みの用紙の枚数を加えたものである。
【００７５】
ユーザーは、ヤレ情報として印字する項目を選択できる。ヤレ情報として「日付・時刻」、「ファイル名」、および「ユーザー名」の少なくともいずれかを含めることにより、目印用紙が再利用され、過去のヤレ情報が目印用紙に印刷されている場合でも、ユーザーは最新のヤレ情報をより容易に見つけることができる。
【００７６】
制御部３８０は、必要に応じて操作表示部３７０を通じて、ヤレ情報を目印用紙に印字する際の印字位置、印字色、および印字内容に関してユーザーに設定するように促す。印字位置、印字色および印字内容の詳細については後述する。
【００７７】
次に、ヤレ枚数カウンタＮを初期化する（ステップＳ１０２）。ヤレ枚数カウンタＮは、ヤレ枚数をカウントする変数である。制御部３８０は、ヤレ枚数カウンタＮにゼロを代入して初期化する。
【００７８】
次に、ヤレ用紙を検知したか否かを判断する（ステップＳ１０３）。より具体的には、上流スキャナー４５１および下流スキャナー４５２は、用紙搬送路４１１上の読取位置を通過する用紙の裏面および表面をそれぞれ撮像する。制御部３８０は、撮像して取得した用紙の読取画像データに基づいて、用紙をヤレ用紙として扱うべきか否かを判定する。たとえば、制御部３８０は、読取画像データと、印刷の画像データを比較し、用紙の画像の位置ずれが所定の閾値を超える場合、用紙をヤレ用紙として扱うべきと判定し、ヤレ用紙を検知したと判断する。
【００７９】
制御部３８０は、ヤレ用紙を検知しない場合（ステップＳ１０３：ＮＯ）、ヤレ用紙を検知するまで待機する。一方、制御部３８０は、ヤレ用紙を検知した場合（ステップＳ１０３：ＹＥＳ）、ヤレ枚数カウンタＮをインクリメントする（ステップＳ１０４）。制御部３８０は、検知されたヤレ用紙１枚分をカウントするため、ヤレ枚数カウンタＮをインクリメント（Ｎ←Ｎ＋１）する。
【００８０】
次に、給紙を停止する（ステップＳ１０５）。制御部３８０は、給紙装置２００からの給紙を停止し、実行中の印刷処理を中断する。この際、制御部３８０は、印刷処理が中断された印刷画像データを、印刷処理が再開されたときのために保持する。
【００８１】
次に、検知されたヤレ用紙の後続に給紙済みで搬送路に供給された用紙があるか否かを判断する（ステップＳ１０６）。ヤレ用紙が検知され、給紙が停止されるまでに、検知されたヤレ用紙の後に続いて、画像形成装置３００の搬送路へ用紙が供給されうる。供給される用紙の枚数は、印刷処理が中断された印刷ジョブのページ数や実行状況、給紙が停止されたタイミングなどにより異なる。本実施形態では、印刷物の品質を維持するため、検知されたヤレ用紙に加えて、検知されたヤレ用紙に後続する給紙済みの用紙についてもヤレ用紙として扱う。検知されたヤレ用紙の後続に給紙済み用紙がない場合（ステップＳ１０６：ＮＯ）、ステップＳ１１０の処理へ移行する。
【００８２】
一方、検知されたヤレ用紙の後続に給紙済み用紙がある場合（ステップＳ１０６：ＹＥＳ）、給紙済み用紙が１枚排出されたか否かを判断する（ステップＳ１０７）。制御部３８０は、給紙済み用紙が１枚排出されていない場合（ステップＳ１０７：ＮＯ）、給紙済み用紙が１枚排出されるまで待機する（ステップＳ１０７：ＮＯ）。
【００８３】
給紙済み用紙が１枚排出された場合（ステップＳ１０７：ＹＥＳ）、ヤレ枚数カウンタＮをインクリメントする（ステップＳ１０８）。制御部３８０は、給紙済み用紙１枚分をカウントするため、ヤレ枚数カウンタＮをインクリメント（Ｎ←Ｎ＋１）する。
【００８４】
次に、すべての給紙済み用紙の排出が完了したか否かを判断する（ステップＳ１０９）。すべての給紙済み用紙の排出が完了していない場合（ステップＳ１０９：ＮＯ）、ステップＳ１０７の処理に移行する。
【００８５】
一方、すべての給紙済み用紙の排出が完了している場合（ステップＳ１０９：ＹＥＳ）、制御部３８０は、印刷ジョブより「ファイル名」および「ユーザー名」を取得する（ステップＳ１１０）。
【００８６】
次に、制御部３８０は、ＲＴＣ（Ｒｅａｌ  Ｔｉｍｅ  Ｃｌｏｃｋ）より現在の「日付・時刻」を取得する（ステップＳ１１１）。
【００８７】
次に、目印用紙を給紙する（ステップＳ１１２）。制御部３８０は、給紙部３３０を制御して目印用紙を画像形成部３２０に供給する。
【００８８】
次に、目印用紙にヤレ情報を印刷する（ステップＳ１１３）。制御部３８０は、設定された印字位置に、設定された印字色で、ヤレ枚数（ヤレ枚数カウンタＮ）と、「日付・時刻」、「ファイル名」および「ユーザー名」のうちで設定された項目を印字する。ヤレ枚数は、同じ排紙トレイ４３１に複数枚のヤレ用紙とともに目印用紙が排出された場合にヤレ用紙を特定する情報となる。
【００８９】
次に、目印用紙が排出されたか否かを判断する（ステップＳ１１４）。制御部３８０は、目印用紙が排出されていない場合（ステップＳ１１４：ＮＯ）、目印用紙が排出されるまで待機する。
【００９０】
一方、目印用紙が排出されている場合（ステップＳ１１４：ＹＥＳ）、制御部３８０は、給紙装置２００を制御して、給紙を再開し（ステップＳ１１５）、ヤレ検知処理を終了する（エンド）。画像調整部４５０は、検知されたヤレ用紙の画像の位置ずれに基づいて、位置ずれを補正するための補正値を算出する。
【００９１】
そして、制御部３８０は、算出された補正値を使用し、印刷処理が中断していた印刷画像データに基づいて再印刷処理（リカバリー印刷処理）の実行を開始する。制御部３８０は、中断されていた印刷処理を再開する際に、給紙部３３０に収容されている目印用紙の用紙切れを検知した場合、目印用紙上におけるヤレ情報を印刷する位置を更新する。この位置の更新については後述する。
【００９２】
したがって、リカバリー印刷処理において、以前に印刷したヤレ情報に、新たなヤレ情報を上書きされることを防止できる。
【００９３】
このように、図３Ａおよび図３Ｂに示すフローチャートの処理によれば、制御部３８０は、用紙搬送路４１１を搬送される用紙がヤレ用紙であるか否かを判断する。そして、制御部３８０は、用紙がヤレ用紙であると判断した場合、排紙トレイ４３１に排出される複数枚の用紙からヤレ用紙を特定する情報を目印用紙に印刷し、当該目印用紙を排紙トレイ４３１に排出するように制御する。
【００９４】
＜ヤレ情報の印字設定＞
上述したとおり、本実施形態では、ヤレ情報の印字設定として、印字位置、印字色、および印字内容について設定できる。
【００９５】
［印字位置の設定］
図４〜図６Ｂを参照して、目印用紙の印字位置の設定について説明する。図４は、目印用紙に対して設定される分割パターン領域の一例を示す模式図であり、図５は目印用紙に対して設定される分割パターン領域の他の例を示す模式図である。また、図６Ａはユーザーが印刷済み領域を指定する場合について、サンプルチャートおよび印刷済みの目印用紙を例示する模式図であり、図６Ｂは印刷済み領域の指定について説明するための模式図である。
【００９６】
本実施形態では、ヤレ情報の印字位置は、「ユーザーが印字位置を指定」、「ユーザーが印刷済みの領域を指定」、「画像形成システム１００が印字位置を自動的に設定」、のいずれかにより設定される。
【００９７】
［１］ユーザーが印字位置を指定する場合
制御部３８０は、目印用紙上に互いに重ならない複数の領域を設定し、ユーザーにいずれかの領域を印字位置として指定させる。たとえば、図４に示すように、制御部３８０は、目印用紙の縦方向および横方向について各々３等分して、目印用紙を９分割する領域（以下、「第１の分割パターン領域」と称する）を設定し、ユーザーにこれらの領域のうちのいずれかを印字位置として指定させる。図４に示す例では、ユーザーが左上の領域を選択した場合について示している。
【００９８】
また、図５に示すように、制御部３８０は、目印用紙の縦方向について１２等分して、１２分割した領域（以下、「第２の分割パターン領域」と称する）を設定し、ユーザーにこれらの領域のうちのいずれかを印字位置として指定させる。図５に示す例では、ユーザーが１０行目（１０／１２）の領域を選択した場合について示している。
【００９９】
なお、ユーザーが印字位置を指定する際に上記複数の領域を参照できるように、たとえば図４または図５に示す複数の領域が描かれた図（チャート）を操作表示部３７０に表示させるか、あるいは画像形成部３２０により印刷するように構成してもよい。あるいは、目印用紙のプレビュー画像に上記複数の領域を重ね合せて操作表示部３７０に表示させ、タッチ操作によりユーザーに印字位置を選択させるように構成してもよい。
【０１００】
［２］ユーザーが印刷済みの領域を指定する場合
図６Ａに示すように、ユーザーが印刷済みの領域を指定する場合、ユーザーは、サンプルチャートおよび印刷済みの目印用紙を準備する。サンプルチャートは、たとえば、「第２の分割パターン領域」が印刷された用紙であり、画像形成システム１００によって印刷されうる。
【０１０１】
また、目印用紙は、たとえば不要になった印刷済みの用紙や再利用された目印用紙でありうる。図６Ａに示す例では、目印用紙として、雷および雲の絵が印刷された印刷済み用紙を利用している。
【０１０２】
図６Ｂに示すように、ユーザーは、サンプルチャートと目印用紙としてこれから用いる印刷済みの用紙とを見比べて、目印用紙における印刷済み領域を確認し、操作表示部３７０を通じて、印刷済みの領域を指定する。目印用紙における印刷済みではない空白領域は印字位置として使用できるが、印刷済み領域は印字位置として使用することはできない。
【０１０３】
制御部３８０は、たとえば空白領域の３／１２を最初の印字位置に設定する。また、制御部３８０は、次にヤレ用紙が検知された場合、空白領域の５／１２、１０／１２、１１／１２、１２／１２のいずれかに印字位置を設定する。
【０１０４】
このように、印字位置として使用できない領域をユーザーが予め指定しておくことにより、印刷済み領域にヤレ情報が上書きされることを防止できる。
【０１０５】
上の例では、ユーザーがサンプルチャートと印刷済みの目印用紙とを見比べて、ユーザーが印刷済みの領域を指定する場合について説明した。しかし、印刷済みの領域の指定は、このような場合に限定されない。画像形成システム１００が印刷済みの目印用紙を画像として読み取り、この目印用紙の画像とサンプルチャートとを比較することにより、印刷済みの領域を指定するように構成してもよい。
【０１０６】
［３］画像形成システム１００が印字位置を自動的に更新する場合
制御部３８０は、目印用紙上に互いに重ならない複数の領域を設定し、このうち空白領域に印字位置を設定する。
【０１０７】
たとえば、目印用紙に対して「第２の分割パターン領域」が設定され、１／１２および２／１２が空白領域である場合を想定する。
【０１０８】
まず、制御部３８０は、目印用紙の印字位置を１／１２に設定する。なお、最初の印字位置は、ユーザーが指定するように構成してもよい。ユーザーは、給紙部３３０の給紙トレイ３３１に１組の複数枚の目印用紙（この時点では、例えば目印用紙は白紙）をセットする。
【０１０９】
続いて、ヤレ用紙が検知された場合、目印用紙が排出される。ユーザーは、この目印用紙を再利用するため、保管しておく。給紙トレイ３３１の目印用紙が紙切れとなった場合、ユーザーは、保管しておいた１組の複数枚の目印用紙を給紙トレイ３３１にセットする。
【０１１０】
続いて、制御部３８０は、印字位置を次の空白領域である２／１２に更新する。さらに、３／１２以降の領域についても空白である場合、ヤレ用紙が検知され、給紙トレイ３３１の目印用紙が紙切れとなった場合、同様に３／１２、４／１２、５／１２、…の順に印字位置を設定する。
【０１１１】
このように、目印用紙が紙切れとなり、給紙トレイ３３１に目印用紙を補給する場合、印字位置の変更を必ず行う必要があるので、制御部３８０は、目印用紙が補給されるとき、予め選択された空白領域に印字位置を更新する。
【０１１２】
また、目印用紙を補給する際に、給紙トレイ３３１に残っている目印用紙がある場合、印字位置が異なる用紙が混在する可能性がある。制御部３８０は、たとえば「現在の印字位置は、２／１２行目です。セットする用紙の印字位置を確認してください。」のような警告を表示する。
【０１１３】
このように、補給前に給紙トレイ３３１に収容されていた目印用紙と新たに補給された目印用紙とについて、ヤレ情報を印刷可能な位置をユーザーに確認するよう促すことにより、印字位置が異なる用紙が混在することを防止または抑制することができる。
【０１１４】
［印字色および印字内容の設定］
図７および図８を参照して、目印用紙にヤレ情報を印字する際の印字色および印字内容の設定について説明する。図７はヤレ情報の印字の一例を示す模式図であり、図８はヤレ情報の印字の他の例を示す模式図である。
【０１１５】
横向きの目印用紙に対して「第１の分割パターン領域」が設定され、１回目の印字では、印字位置が「左上」、印字色が「黒色」、ヤレ情報として、ヤレ枚数に加えて日付、ファイル名およびユーザー名を印字するように設定される。
【０１１６】
図７に示すように、その結果、１回目の印字では、目印用紙の左上に、黒色で、ヤレ枚数が「３」枚、日付が「２０１７／０５／３０」、ファイル名が「ｔｅｓｔ．ｄｏｃ」、ユーザー名が「ａｕｅｄａ」のヤレ情報が印字される。
【０１１７】
次に、２回目の印字では、印字位置が「中央」、印字色が「赤色」、ヤレ情報として、ヤレ枚数に加えて日付、ファイル名およびユーザー名を印字するように設定される。
【０１１８】
その結果、２回目の印字では、目印用紙の中央に、赤色で、ヤレ枚数が「５」枚、日付が「２０１７／０６／０６」、ファイル名が「ｓａｍｐｌｅ．ｄｏｃ」、ユーザー名が「ａｕｅｄａ」のヤレ情報が印字される。
【０１１９】
次に、３回目の印字では、印字位置が「右下」、印字色が「青色」、ヤレ情報として、ヤレ枚数に加えて日付、ファイル名およびユーザー名を印字するように設定される。
【０１２０】
その結果、３回目の印字では、目印用紙の右下に、青色で、ヤレ枚数が「８」枚、日付が「２０１７／０６／１５」、ファイル名が「ｔｅｘｔ．ｄｏｃ」、ユーザー名が「ａｕｅｄａ」のヤレ情報が印字される。
【０１２１】
制御部３８０は、印字位置を変更した場合に、変更前の印字位置を記憶しておく。制御部３８０は、２回目の印字６０２を印字する際に１回目の印字６０１に取り消し線を引き、３回目の印字６０３を印字する際に２回目の印字６０２に取り消し線を引くように画像形成部３２０を制御する。このように、過去のヤレ情報に取り消し線を引くことにより、ユーザーは、３回目の印字が最新であることを容易に理解できる。
【０１２２】
図８に示すように、横向きの目印用紙に対して縦方向にＭ等分して、Ｍ分割した領域が設定され、１回目の印字では、印字位置が「１行目」、印字色が「黒色」、ヤレ情報として、ヤレ枚数に加えて日付、ファイル名およびユーザー名を印字するように設定される。
【０１２３】
図７に示すように、その結果、１回目の印字では、目印用紙の１行目に、黒色で、ヤレ枚数が「３」枚、日付が「２０１７／０５／３０」、ファイル名が「ｔｅｓｔ．ｄｏｃ」、ユーザー名が「ａｕｅｄａ」のヤレ情報が印字される。
【０１２４】
次に、２回目の印字では、印字位置が「２行目」、印字色が「赤色」、ヤレ情報として、ヤレ枚数に加えて日付、ファイル名およびユーザー名を印字するように設定される。
【０１２５】
その結果、２回目の印字では、目印用紙の２行目に、赤色で、ヤレ枚数が「５」枚、日付が「２０１７／０６／０６」、ファイル名が「ｓａｍｐｌｅ．ｄｏｃ」、ユーザー名が「ａｕｅｄａ」のヤレ情報が印字される。
【０１２６】
次に、３回目の印字では、印字位置が「３行目」、印字色が「青色」、ヤレ情報として、ヤレ枚数に加えて日付、ファイル名およびユーザー名を印字するように設定される。
【０１２７】
その結果、３回目の印字では、目印用紙の３行目に、青色で、ヤレ枚数が「８」枚、日付が「２０１７／０６／１５」、ファイル名が「ｔｅｘｔ．ｄｏｃ」、ユーザー名が「ａｕｅｄａ」のヤレ情報が印字される。
【０１２８】
制御部３８０は、印字位置を変更した場合に、変更前の印字位置を記憶しておく。制御部３８０は、２回目の印字６０５を印字する際に１回目の印字６０４に取り消し線を引き、３回目の印字６０６を印字する際に２回目の印字６０５に取り消し線を引くように画像形成部３２０を制御する。このように、過去のヤレ情報に取り消し線を引くことにより、ユーザーは、３回目の印字が最新であることを容易に理解できる。
【０１２９】
なお、最新のヤレ情報を分かり易くするために、過去のヤレ情報に取り消し線を引く例を示したが、取り消し線に限らず、たとえば過去のヤレ情報を塗りつぶすなど、過去のヤレ情報が無効であることが一目でわかるような状態にするものであればよい。
【０１３０】
以上で説明した本実施形態の画像形成システム１００は、下記の効果を奏する。
【０１３１】
目印用紙の印刷済み領域に重ならないように、ヤレ情報を印字する位置が変更される。したがって、目印用紙を再利用できるので、ヤレ用紙が多数検知された場合であっても、目印用紙の枚数の増加を抑制できる。
【０１３２】
また、過去のヤレ情報が無効であることが一目でわかるような状態にするので、ユーザーは、目印用紙に印字されているどのヤレ情報が最新であるかを容易に理解できる。
【０１３３】
（第２の実施形態）
第２の実施形態では、目印用紙に対してもヤレ検知処理を実施する場合について説明する。以下では、第１の実施形態と同じ構成については、説明の重複を避けるため、詳細な説明を省略する。
【０１３４】
図９Ａ〜図１０を参照して、第２の実施形態の画像形成システムの制御方法について説明する。図９Ａは本実施形態における画像形成システムの制御方法の処理手順を例示するフローチャートであり、図９Ｂは図９Ａに後続するフローチャートである。図９Ａおよび図９Ｂに示す制御方法の各処理は、制御部３８０が、制御プログラムを実行することにより実現される。
【０１３５】
＜画像形成システム１００の制御方法＞
図９Ａに示すステップＳ２０１〜ステップＳ２０９の各処理は、図３Ａに示す第１の実施形態のステップＳ１０１〜ステップＳ１０９の各処理と同じであるので、説明を省略する。また、図９Ｂに示すステップＳ２１０〜ステップＳ２１４についても、図３Ｂに示す第１の実施形態のステップＳ１１０〜ステップＳ１１４の各処理と同じであるので、説明を省略する。
【０１３６】
図９Ｂに示すように、ステップＳ２１５において、目印用紙についてヤレを検知したか否かを判断する。この目印用紙のヤレ検知については後述する。目印用紙についてヤレを検知していない場合（ステップＳ２１５：ＮＯ）、制御部３８０は、給紙装置２００を制御して、給紙を再開し（ステップＳ２１６）、ヤレ検知処理を終了する（エンド）。画像調整部４５０は、検知されたヤレ用紙の画像の位置ずれに基づいて、位置ずれを補正するための補正値を算出する。
【０１３７】
そして、制御部３８０は、算出された補正値を使用し、印刷処理が中断していた印刷画像データに基づいて再印刷処理（リカバリー印刷処理）の実行を開始する。制御部３８０は、中断されていた印刷処理を再開する際に、給紙部３３０に収容されている目印用紙の用紙切れを検知した場合、目印用紙上におけるヤレ情報を印刷する位置を更新する。
【０１３８】
一方、目印用紙についてヤレを検知した場合（ステップＳ２１５：ＹＥＳ）、目印用紙の印字位置を更新する（ステップＳ２１７）。制御部３８０は、ヤレ情報が、既に画像が形成されていた部分に重なって印刷されている場合、ヤレ情報が、既に画像が形成されていた部分に重なって印刷されている旨をユーザーに通知するとともに、目印用紙上におけるヤレ情報を印刷する位置を更新する。そして、制御部３８０は、ステップＳ２１０の処理に移行し、目印用紙を再度給紙してヤレ情報を印字し、ヤレ情報が印字された新たな目印用紙に対しても再度ヤレ検知を行う手順を繰り返す。以下、目印用紙のヤレ検知について説明する。
【０１３９】
＜目印用紙のヤレ検知＞
図１０は、目印用紙に対するヤレ検知について説明するための模式図である。目印用紙に対するヤレ検知は、ユーザーが給紙トレイ３３１に印刷済みの目印用紙を補給する際に、補給される目印用紙の印刷済み領域と、設定されている印字位置とが重なった場合の対策として実施される。
【０１４０】
ヤレ情報が、補給された目印用紙の印刷済み領域上に重なって印字された場合、ユーザーが目印用紙を見たときにヤレ情報を判別できない可能性がある。そこで、本実施形態では、制御部３８０は、目印用紙に対してもヤレ検知処理を実施し、目印用紙のヤレが検知された場合は、印字位置を自動的に変更した後、再度目印用紙を給紙し、ヤレ情報を印字する。より具体的には、以下に示すとおりである。
【０１４１】
図１０に示すように、ｘは印刷物においてヤレが検知された用紙であり、（ｘ＋１）〜（ｘ＋ｎ）はヤレ検知時に既に給紙済みの用紙である。
【０１４２】
目印用紙に対してヤレ検知を実施しない場合、制御部３８０は、目印用紙にヤレ枚数として（ｎ＋１）を印字して出力した後、次の用紙を給紙してリカバリー印刷処理を実行し、ヤレ用紙ｘに形成される予定であった画像を形成する。
【０１４３】
一方、目印用紙に対してヤレ検知を実施する場合、制御部３８０は、ヤレ枚数として（ｎ＋１）が印字された目印用紙がヤレと検知されると、目印用紙をもう１枚供給し、ヤレ枚数として（ｎ＋２）を印字して、排出する。目印用紙のヤレ検知は、たとえば、目印用紙を上流スキャナーまたは下流スキャナーで読み取り、ＯＣＲ（Ｏｐｔｉｃａｌ  Ｃｈａｒａｃｔｅｒ  Ｒｅｃｏｇｎｉｔｉｏｎ）処理を実施し、ヤレ情報が判別可能か否かによって判断しうる。その後、制御部３８０は、次の用紙を給紙してリカバリー印刷処理を実行し、ヤレ用紙ｘに形成される予定であった画像を形成する。
【０１４４】
本実施形態の画像形成システム１００によれば、第１の実施形態に加えて、下記の効果を奏する。
【０１４５】
目印用紙がヤレ用紙であると判断された場合、この目印用紙をヤレ用紙として排出するとともに、ヤレ情報を新たな目印用紙に印字し、排出できる。
【０１４６】
以上のように、実施形態において、本発明の画像形成システムおよび制御プログラムについて説明した。しかしながら、本発明は、その技術思想の範囲内において当業者が適宜に追加、変形、および省略することができることはいうまでもない。
【０１４７】
たとえば、上述の第１および第２の実施形態では、後処理装置の用紙搬送路に沿って設置された上流スキャナーおよび下流スキャナーにより、用紙搬送路を搬送される用紙を撮像し、画像の位置ずれに基づいてヤレ用紙を検知する場合について説明した。しかしながら、本発明はこのような場合に限定されず、他のセンサーを使用してヤレ用紙の検知を行ってもよい。たとえば用紙搬送路内に設けられ、用紙の幅方向（搬送方向に直交）のエッジ位置を検知するセンサーにより用紙の搬送状態（斜行、幅方向位置）の判定により、ヤレ用紙の判定を行うこともできる。また、画像形成装置の用紙搬送路に沿って設置され、搬送される用紙の紙曲がりを検知する紙曲がりセンサーの検知結果に基づいて、ヤレ用紙を検知するように構成することもできる。
【０１４８】
また、上述の第１および第２の実施形態では、後処理装置は排紙トレイを１つ備える場合について説明した。本発明は、特に、特定の１つの排紙トレイに有効用紙およびヤレ用紙が排出され、混在にする状況において、ヤレ用紙を特定する情報を目印用紙に印字することにより、ユーザーが容易にヤレ用紙を特定できるという効果が発揮される。しかし、後処理装置が排紙トレイを複数備える場合であっても、特定の１つの排紙トレイに有効用紙およびヤレ用紙が排出される場合などにおいても同様に効果が発揮される。
【０１４９】
また、上述の第１および第２の実施形態では、目印用紙を画像形成装置の給紙部から供給する場合について説明した。しかしながら、目印用紙は、たとえば給紙装置から供給するように構成してもよいし、あるいは手差しトレイから供給するように構成することもできる。
【０１５０】
また、ヤレ用紙を特定する情報として、目印用紙に印字するのは、ヤレ枚数に限定されず、目印用紙から何枚前がヤレ用紙かを示す情報であってよい。
【０１５１】
また、画像形成装置の制御プログラムは、ＵＳＢメモリー、フレキシブルディスク、ＣＤ−ＲＯＭなどのコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリーやストレージなどに転送され記憶される。また、この制御プログラムは、たとえば、単独のアプリケーションソフトとして提供されてもよいし、画像形成装置の一機能としてその各装置のソフトウェアに組み込んでもよい。
【符号の説明】
【０１５２】
１００  画像形成システム、
２００  給紙装置、
２１０  給紙部、
２２０  用紙搬送部、
２３０  通信部、
２４０  制御部、
３００  画像形成装置、
３１０  画像読取部、
３２０  画像形成部、
３３０  給紙部、
３４０  通信部、
３５０  用紙搬送部、
３６０  排出部、
３７０  操作表示部、
３８０  制御部、
４００  後処理装置、
４１０  用紙搬送部、
４２０  後処理部、
４３０  排出部、
４４０  通信部、
４５０  画像調整部、
４６０  制御部。
【図１】
2019034528.tif 000003
【図２】
2019034528.tif 000004
【図３Ａ】
2019034528.tif 000005
【図３Ｂ】
2019034528.tif 000006
【図４】
2019034528.tif 000007
【図５】
2019034528.tif 000008
【図６Ａ】
2019034528.tif 000009
【図６Ｂ】
2019034528.tif 000010
【図７】
2019034528.tif 000011
【図８】
2019034528.tif 000012
【図９Ａ】
2019034528.tif 000013
【図９Ｂ】
2019034528.tif 000014
【図１０】
2019034528.tif 000015